(57)【要約】      （修正有）【課題】衛生マスク装着時の精神的なストレスを緩和できる衛生マスク装着補助具を提供する。【解決手段】衛生マスクの左右の耳掛け紐を連結する補助具本体１ａと、補助具本体の右側部１Ｒに設けられ、衛生マスクの右側の耳掛け紐を係止する右側係止部１ｂと、補助具本体の左側部１Ｌに設けられ、衛生マスクの左側の耳掛け紐を係止する左側係止部１ｃとを備え、補助具本体には、装飾３と情報のいずれか一方又は両方を表示する装飾類表示部１ｄが設けられている。【選択図】図１
0003231437.tif 000002
【実用新案登録請求の範囲】
【請求項１】
衛生マスクの左右の耳掛け紐を連結する補助具本体と、
前記補助具本体の右側部に設けられ、前記衛生マスクの右側の耳掛け紐を係止する右側係止部と、
前記補助具本体の左側部に設けられ、前記衛生マスクの左側の耳掛け紐を係止する左側係止部とを備え、
前記補助具本体には、装飾と情報のいずれか一方又は両方を表示する装飾類表示部が設けられていることを特徴とする衛生マスク装着補助具。
【請求項２】
前記装飾類表示部の輪郭の少なくとも一部が表示内容の輪郭の少なくとも一部を構成することを特徴とする請求項１記載の衛生マスク装着補助具。
【請求項３】
前記装飾類表示部には立体部が設けられていることを特徴とする請求項１又は２に記載の衛生マスク装着補助具。
【請求項４】
前記補助具本体は、使用時にその中央部分が下方に凸となるように湾曲した形状を成すことを特徴とする請求項１から３のいずれかに記載の衛生マスク装着補助具。
【請求項５】
前記装飾類は、モバイル機器用充電コードを通すことが可能な孔であることを特徴とする請求項１から４のいずれかに記載の衛生マスク装着補助具。
【請求項６】
前記右側係止部及び左側係止部はイヤホンコードを挟み込むことが可能なスリットであることを特徴とする請求項１から５のいずれかに記載の衛生マスク装着補助具。
【考案の詳細な説明】
【技術分野】
【０００１】
本考案は、例えば幼児などが衛生マスクを装着する際、衛生マスクが大きすぎて顔面との間に隙間が出来てしまうのを防止する衛生マスク装着補助具に関する。
【背景技術】
【０００２】
衛生マスクを顔面にフィットさせるための補助具として、例えば特許文献１に開示された衛生マスク装着補助具がある。図１１及び図１２に衛生マスク装着補助具１０１を示す。衛生マスク装着補助具（以下、単に補助具という）１０１の細長い支持本体１０１ａの一端には衛生マスク１０２の耳掛け紐１０２ａを通して連結する孔１０１ｂが、支持本体１０１ａの他端には衛生マスク１０２の耳掛け紐１０２ｂを引っ掛けて係止する突起１０１ｃがそれぞれ設けられている。
【０００３】
衛生マスク１０２を装着する前に予め衛生マスク１０２の耳掛け紐１０２ａを補助具１０１の支持本体１０１ａに連結しておく。この状態で使用者が衛生マスク１０２を装着し、使用者の頭部の後ろ側で支持本体１０１ａの他端の突起１０１ｃに衛生マスク１０２の耳掛け紐１０２ｂを引っ掛けて係止する。これにより、衛生マスク１０２の左右の耳掛け紐１０２ａ，１０２ｂが使用者の頭部の後ろ側に引き寄せられ、衛生マスク１０２の本体１０２ｃを使用者の顔面に密着させることができる。
【０００４】
例えば、幼児など顔の小さな使用者が衛生マスク１０２を装着した場合、衛生マスク１０２が大き過ぎて衛生マスク１０２の本体１０２ｃと顔面との間に大きな隙間が生じることがあるが、補助具１０１を使用することで衛生マスク１０２を顔面に密着させることができる。
【先行技術文献】
【特許文献】
【０００５】
【特許文献１】実用新案登録第３１８４３３１号公報
【考案の概要】
【考案が解決しようとする課題】
【０００６】
今日においては衛生マスク１０２の有用性は十分に認識されているものの、衛生マスク１０２を装着すると息苦しくなることから、特に幼児などは衛生マスク１０２の装着を嫌がる傾向にある。また、たとえ大人であっても、マスク装着時の息苦しさや見た目の悪さ等から衛生マスク１０２を装着すると気分が滅入る傾向にある。
【０００７】
本考案は、かかる課題を解決するためになされたものであり、衛星マスク装着時の精神的なストレスを緩和して少しでも楽しい気持ちにできる衛生マスク装着補助具を提供することを目的とする。
【課題を解決するための手段】
【０００８】
上記目的を達成するため、本考案の衛生マスク装着補助具は、衛生マスクの左右の耳掛け紐を連結する補助具本体と、補助具本体の右側部に設けられ、衛生マスクの右側の耳掛け紐を係止する右側係止部と、補助具本体の左側部に設けられ、衛生マスクの左側の耳掛け紐を係止する左側係止部とを備え、補助具本体には、装飾と情報のいずれか一方又は両方を表示する装飾類表示部が設けられている。
【０００９】
衛生マスクの使用者が衛生マスクの右側耳掛け紐を衛生マスク補助具の右側係止部で係止し、左側耳掛け紐を左側係止部で係止することで、左右の耳掛け紐を頭部の後方にたぐり寄せることができ、衛生マスクの本体部を顔面に密着させることができる。
【００１０】
また、本考案の衛生マスク装着補助具は、装飾類表示部の輪郭の少なくとも一部が表示内容の輪郭の少なくとも一部を構成するようにしても良い。この場合には、装飾類の表示に装飾類表示部の輪郭を利用することができ、装飾類の表現の幅を広げることができる。
【００１１】
また、本考案の衛生マスク装着補助具は、装飾類表示部に立体部が設けられていても良い。この場合には、装飾類を立体的なものとすることができ、装飾類の表現の幅を広げることができる。
【００１２】
また、本考案の衛生マスク装着補助具は、補助具本体が、使用時にその中央部分が下方に凸となるように湾曲した形状を成すようにすることが好ましい。この場合には、補助具本体を使用者の後頭部に密着させやすくなる。
【００１３】
また、本考案の衛生マスク装着補助具は、装飾類を、モバイル機器用充電コードを通すことが可能な孔にしても良い。装飾類としての孔に充電コードを差し込んで通しておくことで、充電コードに補助具を取り付けることができる。この状態でモバイル機器の充電を行うことで、補助具がモバイル機器の目印になる。
【００１４】
さらに、本考案の衛生マスク装着補助具は、右側係止部及び左側係止部を、イヤホンコードを挟み込むことが可能なスリットにしても良い。この場合には、イヤホンコードを補助具の補助具本体に巻き付けた後、イヤホンコードの両端近傍を右側係止部又は左側係止部に挟み込んで止めることができる。このようにすることで、使用していないイヤホンコードがカバン内等で絡まるのを防止することができる。
【考案の効果】
【００１５】
本考案によれば、好みの装飾類が表示されている衛生マスク装着補助具を使用することで楽しい気持ちになるので、衛生マスク装着時の煩わしさによる精神的ストレスを緩和することができる。特に幼児が衛生マスクの装着を嫌がるのを防止し、楽しい気持ちで装着することができる。また、使用状態では、装飾類（装飾と情報のいずれか一方又は両方）が表示されている装飾類表示部が使用者の後頭部に位置しており、後方の人々に対して装飾類を見せたり読ませたりすることができる。
【図面の簡単な説明】
【００１６】
【図１】本考案の衛生マスク装着補助具の第1の実施形態を示し、（Ａ）はその正面図、（Ｂ）は（Ａ）のＢ−Ｂ線に沿う断面図である。
【図２】図１の衛生マスク装着補助具の使用状態を示す斜視図である。
【図３】本考案の衛生マスク装着補助具の第２の実施形態を示す正面図である。
【図４】本考案の衛生マスク装着補助具の第３の実施形態を示す正面図である。
【図５】本考案の衛生マスク装着補助具の第４の実施形態を示し、（Ａ）はその正面図、（Ｂ）は（Ａ）のＢ−Ｂ線に沿う断面図である。
【図６】本考案の衛生マスク装着補助具の第５の実施形態を示し、（Ａ）はその正面図、（Ｂ）はその平面図、（Ｃ）は（Ａ）のＣ−Ｃ線に沿う断面図である。
【図７】本考案の衛生マスク装着補助具の第６の実施形態を示し、（Ａ）はその正面図、（Ｂ）はその平面図、（Ｃ）は（Ａ）のＣ−Ｃ線に沿う断面図である。
【図８】本考案の衛生マスク装着補助具の第７の実施形態を示し、（Ａ）はその正面図、（Ｂ）は（Ａ）のＢ−Ｂ線に沿う断面図である。
【図９】本考案の衛生マスク装着補助具の第８の実施形態を示し、モバイル機器用の充電コードに取り付けた様子を示す図である。
【図１０】本考案の衛生マスク装着補助具の第９の実施形態を示し、イヤホンコードを巻き付けた様子を示す図である。
【図１１】従来の衛生マスク装着補助具を示し、（ａ）はその正面図、（ｂ）はその平面図である。
【図１２】従来の衛生マスク装着補助具の使用状態を示す斜視図である。
【考案を実施するための形態】
【００１７】
次に、本考案に係る衛生マスク装着補助具の実施形態の一例について、図面を参照しながら説明する。
図１及び図２に、本考案に係る衛生マスク装着補助具を示す。衛生マスク装着補助具（以下、単に補助具という）１は、衛生マスク２の左右の耳掛け紐２ａ，２ａを連結する補助具本体１ａと、補助具本体１ａの右側部１Ｒに設けられ、衛生マスク２の右側の耳掛け紐２ａを係止する右側係止部１ｂと、補助具本体１ａの左側部１Ｌに設けられ、衛生マスク２の左側の耳掛け紐２ａを係止する左側係止部１ｃとを備えている。
【００１８】
補助具本体１ａは、例えば、樹脂製のシートや板材、プラスチック製のシートや板材、紙製のシートや板材等を細長い所定の形状に切り抜いて形成される。本実施形態の補助具本体１ａは、例えば図１（Ａ）に示すように、使用時にその中央部分が下方に凸となるように湾曲した形状を成している。補助具本体１ａをこのような湾曲形状にすることで、図２に示すように、使用時に使用者５の後頭部５ａに補助具本体１ａを密着させることができる。より具体的には、補助具本体１ａを、後頭部５ａ中央の膨らみ部分を下側に迂回させて配置することができる。そのため、衛生マスク２の左右の耳掛け紐２ａ，２ａを連結しこれらを後方に引き寄せた状態で補助具本体１ａを後頭部５ａに密着させることができる。補助具本体１ａを後頭部５ａに密着させることができるので、衛生マスク２の本体部２ｂを顔面にしっかりと密着させることができる。
【００１９】
補助具本体１ａの右側部１Ｒには、右側係止部１ｂとしての切込みが設けられている。本実施形態では、補助具本体１ａの上縁から斜め外側に向けて切込みを形成し且つ当該切込みの先端に小孔を形成することで右側係止部１ｂを設けている。ただし、右側係止部１ｂとしては切込みに限るものではなく、他の手段を採用しても良い。例えば、補助具本体１ａに引掛け片（図示せず）を設けることで当該引掛け片を右側係止部１ｂにしても良い。衛生マスク２の右側の耳掛け紐２ａを切込みに差し込んで小孔の位置まで移動させることで、耳掛け紐２ａを右側係止部１ｂから外れ難くすることができる。
【００２０】
補助具本体１ａの左側部１Ｌには、左側係止部１ｃとしての切込みが設けられている。本実施形態では、補助具本体１ａの上縁から斜め外側に向けて切込みを形成し且つ当該切込みの先端に小孔を形成することで左側係止部１ｃを設けている。ただし、左側係止部１ｃとしては切込みに限るものではなく、他の手段を採用しても良い。例えば、補助具本体１ａに引掛け片（図示せず）を設けることで当該引掛け片を左側係止部１ｃにしても良い。衛生マスク２の左側の耳掛け紐２ａを切込みに差し込んで小孔の位置まで移動させることで、耳掛け紐２ａを左側係止部１ｃから外れ難くすることができる。
【００２１】
補助具本体１ａには、装飾と情報のいずれか一方又は両方を表示する装飾類表示部１ｄが設けられている。本実施形態では、補助具本体１ａの表側面（使用者５の後頭部５ａに接する面とは反対側の面）の全面を装飾類表示部１ｄとしている。ただし、補助具本体１ａの表側面の一部を装飾類表示部１ｄにしても良いことは勿論である。
【００２２】
装飾類表示部１ｄには、絵，模様，キャラクター表示，デザイン画，写真，切込み，切り抜き，スリット，孔等の装飾や、文字，図形，記号，バーコード，ＱＲコード（登録商標），ＡＲマーカ（ＡＲ（Ａｕｇｍｅｎｔｅｄ  Ｒｅａｌｉｔｙ：拡張現実）技術で３Ｄオブジェクト，動画，画像，ＷＥＢサイト等のコンテンツ等を表示させるマーカ）等の情報が表示されている。装飾のみ、あるいは情報のみを表示しても良く、装飾と情報の両方を組み合わせて表示しても良い。なお、ここでは装飾と情報とを区別して表現することにはあまり意味がないので、両者のいずれか一方又は両方をあわせて装飾類と表現する。装飾類３はカラー表示されていても良く、あるいは単色で表示されていても良い。また、装飾類３がスリットや孔等の場合には着色されていなくても良く、単にスリットや孔を設けたものでも良い。
【００２３】
装飾類３は、装飾類表示部１ｄに例えば印刷等によって表示される。ただし、装飾類３を装飾類表示部１ｄに表示する手段は印刷に限らない。例えば、切り込み、孔あけ、箔押し、型押し等によって表示するようにしても良く、あるいはレーザー加工で描くことで表示するようにしても良い。
【００２４】
装飾類３として、例えば、子供が喜ぶキャラクター、衛生マスク２の用途に関連した例えばアマビエ等をキャラクター化した絵等を表示しても良い。また、補助具１を販売促進のために企業が配布する商品として使用する場合等には、企業名、商品名、キャッチフレーズ等を表示しても良い。
【００２５】
衛生マスク２の使用者５が衛生マスク２の右側耳掛け紐２ａを補助具１の右側係止部１ｂで係止し、左側耳掛け紐２ａを左側係止部１ｃで係止することで、左右の耳掛け紐２ａ，２ａを頭部の後方にたぐり寄せることができ、衛生マスク２の本体部２ｂを顔面に密着させることができる。図２に示すように、使用状態では装飾類３が表示されている装飾類表示部１ｄが使用者５の後頭部５ａに位置しており、後方の人々に対して装飾類３を見せたり読ませたりすることができる。
【００２６】
補助具１の装飾類表示部１ｄには装飾類３が表示されているので、楽しい気持ちで衛生マスク２を装着することができ、衛生マスク２装着時の息苦しさや見た目の悪さ等によるストレスを緩和することができる。特に幼児が衛生マスク２の装着を嫌がるのを防止することができ、積極的に衛生マスク２を装着するようになる。
【００２７】
また、装飾類３として、企業名、商品名、キャッチフレーズ、バーコード，ＱＲコード（登録商標），ＡＲマーカ等の情報が表示されている場合には、企業や商品等の宣伝広告を行うことができる。
【００２８】
なお、上述の実施形態は本発明を実施する際の好適な形態の一例であるがこれに限るものではなく、本考案の要旨を逸脱しない範囲において種々変形実施可能である。
【００２９】
例えば、上述の説明では、左右の係止部１ｂ，１ｃとして切り込みを一本ずつ設けていたが、図３に示すように複数設けても良い。即ち、上述の説明では、左右の係止部１ｂ，１ｃを一段構成にしていたが、複数段構成にしても良い。左右の係止部１ｂ，１ｃを複数段構成にすることで、左右の耳掛け紐２ａ，２ａの係止位置を変えることが可能になり、左右の耳掛け紐２ａ，２ａの頭部後方でのたぐり寄せ量を調整して衛生マスク２の本体部２ｂを顔面によりフィットさせることができる。
【００３０】
また、図４に示すように、左右の係止部１ｂ，１ｃのうち、いずれか一方を一段構成にし、他方を複数段構成にしても良い。この場合であっても、左右の耳掛け紐２ａ，２ａの頭部後方でのたぐり寄せ量を調整して衛生マスク２の本体部２ｂを顔面によりフィットさせることができる。
【００３１】
また、装飾類表示部１ｄの輪郭１ｅの少なくとも一部が表示内容の輪郭の少なくとも一部を構成するようにしても良い。この場合の例を図５に示す。装飾類表示部１ｄには装飾類３として例えばハート模様が表示されており、装飾類表示部１ｄの輪郭１ｅの一部がハート模様の輪郭の一部を構成している。このようにすることで、より大きな装飾類３を表示することが可能になり、デザインの自由度を向上させることができる。
【００３２】
さらに、装飾類表示部１ｄに立体部４を設けても良い。この場合の例を図６に示す。立体部４は、例えば、装飾類表示部１ｄに取り付けられたばね部４ａと、ばね部４ａの先端に設けられた表示部４ｂを備えている。ばね部４ａは、例えばプラスチック、樹脂、厚紙等で形成された弾力性を有するシートや板材で形成されており、表示部４ｂを浮かせた状態で装飾類表示部１ｄに取り付けることができる。ばね部４ａは湾曲しており、補助具１の使用者５の頭の動きに合わせて表示を揺動させることができる。
【００３３】
表示部４ｂには装飾類３が表示されている。この例では、表示部４ｂの輪郭４ｃが表示内容の輪郭を構成しているが、例えば図７に示すように、表示部４ｂ内におさまるように装飾類３を表示しても良い。
【００３４】
装飾類表示部１ｄに立体部４を設けることで、デザインの自由度を向上させることができ、装飾類３をより目立たせることができる。また、見た目がより面白くなるので、衛生マスク２の装着をより楽しくすることができる。
【００３５】
また、例えば図８に示すように、装飾類表示部１ｄに表示する模様自体を立体模様にすることで、装飾類表示部１ｄに立体部４を設けるようにしても良い。この場合にも、デザインの自由度を向上させることができ、装飾類３をより目立たせることができる。また、見た目がより面白くなるので、衛生マスク２の装着をより楽しくすることができる。
【００３６】
また、衛生マスク２を使用していない時等には補助具１を別の用途に使用することも可能である。
例えば、補助具１の装飾類３を、モバイル機器６用の充電コード７を通すことが可能な孔としても良い。この場合の例を図９に示す。装飾類３を、例えば、携帯電話、スマートフォン、タブレット端末等のモバイル機器６の充電コード７を通すことが可能な孔にしている。この孔に充電コード７を差し込んで通しておくことで、充電コード７に補助具１を取り付けることができる。この状態でモバイル機器６の充電を行うことで、補助具１をモバイル機器６の目印して使用することができる。すなわち、他人のモバイル機器６と自分のモバイル機器６とが同機種または類似機種である場合が多々あり得るが、補助具１を使用することで自分のモバイル機器１を示す目印ができ、モバイル機器６の取り間違いを防止することができる。
【００３７】
さらに、補助具１の右側係止部１ｂ及び左側係止部１ｃを、イヤホンコード８を挟み込むことが可能なスリットとしても良い。この場合の例を図１０に示す。イヤホンコード８を補助具１の補助具本体１ａに巻き付け、イヤホンコード８の両端近傍を右側係止部１ｂ又は左側係止部１ｃに挟み込んで止めることができる。このようにすることで、使用していないイヤホンコード８がカバン内等で絡まるのを防止することができ、持ち運びに便利である。しかも、イヤホンコード８を右側係止部１ｂ及び左側係止部１ｃから簡単に外すことができるので、補助具１又はイヤホンコード８を使用する際にはイヤホンコード８を補助具１から簡単に取り外すことができる。補助具１の補助具本体１ａはある程度の長さを有しているので、長いイヤホンコード８を巻き付けるのに便利である。
【符号の説明】
【００３８】
１  衛生マスク装着補助具
１ａ  補助具本体
１ｂ  右側係止部
１ｃ  左側係止部
１ｄ  装飾類表示部
１ｅ  装飾類表示部の輪郭
２  衛生マスク
２ａ  耳掛け紐
４  立体部
６  モバイル機器
７  充電コード
８  イヤホンコード
【図１】
0003231437.tif 000003
【図２】
0003231437.tif 000004
【図３】
0003231437.tif 000005
【図４】
0003231437.tif 000006
【図５】
0003231437.tif 000007
【図６】
0003231437.tif 000008
【図７】
0003231437.tif 000009
【図８】
0003231437.tif 000010
【図９】
0003231437.tif 000011
【図１０】
0003231437.tif 000012
【図１１】
0003231437.tif 000013
【図１２】
0003231437.tif 000014
【手続補正書】
【提出日】令和3年1月28日(2021.1.28)
【手続補正１】
【補正対象書類名】実用新案登録請求の範囲
【補正対象項目名】全文
【補正方法】変更
【補正の内容】
【実用新案登録請求の範囲】
【請求項１】
衛生マスクの左右の耳掛け紐を連結する補助具本体と、
前記補助具本体の右側部に設けられ、前記衛生マスクの右側の耳掛け紐を係止する右側係止部と、
前記補助具本体の左側部に設けられ、前記衛生マスクの左側の耳掛け紐を係止する左側係止部とを備え、
前記補助具本体の表側面の全面又は一部には、装飾と情報のいずれか一方又は両方を表示する装飾類表示部が設けられていることを特徴とする衛生マスク装着補助具。
【請求項２】
前記装飾類表示部の輪郭の少なくとも一部が表示内容の輪郭の少なくとも一部を構成することを特徴とする請求項１記載の衛生マスク装着補助具。
【請求項３】
前記装飾類表示部には立体部が設けられていることを特徴とする請求項１又は２に記載の衛生マスク装着補助具。
【請求項４】
前記補助具本体は、使用時にその中央部分が下方に凸となるように湾曲した形状を成すことを特徴とする請求項１から３のいずれかに記載の衛生マスク装着補助具。
【請求項５】
前記装飾は、モバイル機器用充電コードを通すことが可能な孔であることを特徴とする請求項１から４のいずれかに記載の衛生マスク装着補助具。
【請求項６】
前記右側係止部及び左側係止部はイヤホンコードを挟み込むことが可能なスリットであることを特徴とする請求項１から５のいずれかに記載の衛生マスク装着補助具。
【手続補正２】
【補正対象書類名】明細書
【補正対象項目名】０００８
【補正方法】変更
【補正の内容】
【０００８】
上記目的を達成するため、本考案の衛生マスク装着補助具は、衛生マスクの左右の耳掛け紐を連結する補助具本体と、補助具本体の右側部に設けられ、衛生マスクの右側の耳掛け紐を係止する右側係止部と、補助具本体の左側部に設けられ、衛生マスクの左側の耳掛け紐を係止する左側係止部とを備え、補助具本体の表側面の全面又は一部には、装飾と情報のいずれか一方又は両方を表示する装飾類表示部が設けられている。
【手続補正３】
【補正対象書類名】明細書
【補正対象項目名】００１３
【補正方法】変更
【補正の内容】
【００１３】
また、本考案の衛生マスク装着補助具は、装飾を、モバイル機器用充電コードを通すことが可能な孔にしても良い。装飾としての孔に充電コードを差し込んで通しておくことで、充電コードに補助具を取り付けることができる。この状態でモバイル機器の充電を行うことで、補助具がモバイル機器の目印になる。